(57)【特許請求の範囲】
【請求項１】
音声信号を音声符号化部で符号化したのちに誤り訂正符号化部で誤り訂正符号化し、インターリーブ部でインターリーブを行い得られたデータにより搬送波を変調して送信部で送信する移動無線通信端末において、インターリーブ部は、当該通信端末の通信が半二重の単信通話で行われるか全二重の複信通話で行われるかによってインターリーブフレーム数を変更してインターリーブを行う構成にされたことを特徴とする移動無線通信端末。
【請求項２】
相手局との通信に、半二重通信を行う単信通話か全二重通信を行う複信通話かを設定する操作部を備え、
インターリーブ部は、操作部でユーザーが入力した単信通話か複信通話かを示す情報に基づいてインターリーブフレーム数を変更し、送信部は、単信通話か複信通話かを示す情報を接続要求のメッセージ情報に含んで送信する構成にされたことを特徴とする請求項１記載の移動無線通信端末。
【請求項３】
音声信号を符号化後、誤り訂正符号化とインターリーブ処理が施された変調搬送波を受信部で受信して復調し、得られたデータをデインターリーブ部でデインターリーブして誤り訂正復号化部で誤り訂正復号化したのちに音声復号化部で音声復号化して音声信号を再生する移動無線通信端末において、受信変調搬送波には通信が半二重の単信通話で行われるか全二重の複信通話で行われるかを示す情報を含み、デインターリーブ部はこの半二重の単信通話か全二重の複信通話かの情報に従ってデインターリーブフレーム数を変更してデインターリーブを行う構成にされたことを特徴とする移動無線通信端末。
【請求項４】
デインターリーブ部は、受信信号中の着信要求のメッセージ情報に含まれる単信通話か複信通話かを示す情報に基づいてデインターリーブフレーム数を変更する構成にされたことを特徴とする請求項３記載の移動無線通信端末。
【請求項５】
音声信号を音声符号化部で符号化したのちに誤り訂正符号化部で誤り訂正符号化し、インターリーブ部でインターリーブを行い得られたデータにより搬送波を変調して送信部で送信する送信側端末と
送信側端末から送信された変調搬送波を受信部で受信して復調し、得られたデータをデインターリーブ部でデインターリーブして誤り訂正復号化部で誤り訂正復号化したのちに音声復号化部で音声復号化して音声信号を再生する受信側端末とを備えた移動無線通信システムにおいて、
送信側端末のインターリーブ部は、通信が半二重の単信通話で行われるか全二重の複信通話で行われるかによってインターリーブフレーム数を変更してインターリーブを行い、
受信側端末のデインターリーブ部は通信が前記単信通話で行われるか複信通話で行われるかによってデインターリーブフレーム数を変更してデインターリーブを行う構成にされたことを特徴とする移動無線通信システム。
【請求項６】
送信側端末は相手局との通信に、半二重通信を行う単信通話か全二重通信を行う複信通話かを設定する操作部を備え、
インターリーブ部は、操作部でユーザーが入力した単信通話か複信通話かを示す情報に基づいてインターリーブフレーム数を変更し、送信部はこの単信通話か複信通話かを示す情報を接続要求のメッセージ情報に含んで送信し、
受信側端末のデインターリーブ部は、送信側から受信した着信要求のメッセージ情報に含まれる単信通話か複信通話かを示す情報に基づいてデインターリーブフレーム数を変更する構成にされたことを特徴とする請求項５に記載の移動無線通信システム。
【請求項７】
送信側端末と受信側端末が中継局を中継して通信することを特徴とする請求項５または請求項６に記載の移動無線通信システム。
【請求項８】
送信側で音声信号を符号化したのちに誤り訂正符号化とインターリーブを行い、得られたデータにより搬送波を変調して送信部から送信し、受信側でこの変調搬送波を受信して復調し、得られたデータをデインターリーブして誤り訂正復号化したのちに音声復号化して音声信号を再生する移動無線通信方法において、
送信側は、通信が半二重の単信通話で行われるか全二重の複信通話で行われるかによってインターリーブ部によりインターリーブフレーム数を変更してインターリーブを行い、受信側は通信が前記単信通話で行われるか複信通話で行われるかによってデインターリーブ部によりデインターリーブフレーム数を変更してデインターリーブを行うことを特徴とする移動無線通信方法。
【請求項９】
送信側のインターリーブ部は、操作部でユーザーが入力した単信通話か複信通話かを示す情報に基づいてインターリーブフレーム数を変更し、送信部から、この単信通話か複信通話かを示す情報を接続要求のメッセージ情報に含んで送信し、受信側のデインターリーブ部は、送信側から受信した着信要求のメッセージ情報に含まれる単信通話か複信通話かを示す情報に基づいてデインターリーブフレーム数を変更することを特徴とする請求項８記載の移動無線通信方法。
【請求項１０】
送信側と受信側が中継局を中継して通信することを特徴とする、請求項８または請求項９に記載の移動無線通信方法。
【発明の詳細な説明】
【０００１】
【発明の属する技術分野】
この発明は、車載電話システムや携帯電話システムにおいてインターリーブ、デインターリーブを用いて符号化データの処理を行うディジタル移動無線通信端末及び移動無線通信システム及び移動無線通信方法に関する。
【０００２】
【従来の技術】
ディジタル移動無線通信では、無線伝送路においてフェージングによるバースト誤りやランダム誤りが生じる。このため一般に、送信側では送信すべきデータを誤り訂正符化したのちに送信し、受信側では受信したデータを誤り訂正復号化することで伝送誤りの影響を取り除く方法を用いている。しかし誤り訂正符号はランダム誤りに対する訂正能力が高いがバースト誤りに対する訂正能力が低いため、インターリーブにより送信データを分散させ、バースト誤りを分散させる方法を採用している。
インターリーブ、デインターリーブを用いて符号化データの処理を行う従来の移動無線通信方法には特開平４−３３４１４０に示されるようなものがあった。図１１は特開平４−３３４１４０に開示された従来の移動無線通信方法の無線局の構成を示すブロック図である。
図１１において、１はアンテナ、２ａは送信部、２ｂは受信部、３ａはインターリーブ部、３ｂはデインターリーブ部、４は誤り訂正符号化・復号化部、５は情報処理部、５ａは受信状態検出部、５ｂはインターリーブ制御部である。以降、図１１を用いて従来の移動無線通信方法の構成および動作について説明する。
【０００３】
図１１において、情報処理部５からの送信データは誤り訂正符号化・復号化部４により誤り訂正符号化され、更にインターリーブ部３ａにおいてインターリーブ制御部５ｂが出力したインターリーブの深さＩに従ってインターリーブされ、送信部２ａから送信される。その際に、インターリーブ部３ａは各送信ブロックの前にインターリーブの深さ情報Ｉを付加し、この情報Ｉも送信部２ａから送信される。相手局は受信したインターリーブの深さ情報Ｉに従って各受信ブロックをデインターリーブする。
【０００４】
また、相手局からの受信データＲＤは、デインターリーブ部３ｂより各受信ブロックの前に付加されたインターリーブの深さ情報Ｉに従ってデインターリーブされ、誤り訂正符号化・復号化部４で誤り訂正復号されて情報処理部５に取り込まれる。
【０００５】
受信状態検出部５ａは受信信号に対する誤り訂正符号化・復号化部４での誤り復号化処理における誤り訂正率を検出しており、インターリーブ制御部５ｂは、誤り訂正率が減少している場合には伝送での誤りが多く発生していると推定してインターリーブの深さ情報Ｉを大きくしてインターリーブ部３ａに出力する。
このため伝送路で誤りが多く発生している場合は誤りを広い範囲に分散でき、
相手局で誤り訂正し易くなる。
【０００６】
以上説明した方法により従来の移動無線通信方法では伝送路の誤りの発生状況に応じてインターリーブの深さを変化させるので、受信側では誤りの少ない受信データが得られ、良好な通信品質が達成される。しかし、インターリーブの深さを大きくすると伝送遅延が大きく生じる問題があるため、インターリーブの深さには限度がある。特に音声データを送受信して音声通話を行う場合、伝送遅延が大きいと通話品質を劣化させるので、インターリーブの深さには限度がある。
【０００７】
このため、別な従来の移動無線通信方法、特開平５−２２２３７では、音声通信においてインターリーブの深さを押さえ、小さい伝送遅延でインターリーブを行う方法を開示している。
【０００８】
【発明が解決しようとする課題】
図１１に示す特開平４−３３４１４０や特開平５−２２２３７に示す従来の移動無線通信方法では、音声通信を行う場合伝送遅延を小さくするためインターリーブの深さを大きくできず、伝送路でバースト誤りが多く発生すると誤りが分散しないため受信側の誤り訂正が困難になり、通話品質が劣化する課題があった。音声通信では通信品質が悪く誤りが音声データに多く重畳すると再生される音声品質が劣化する。
【０００９】
この発明は以上説明した課題を解決するためになされたもので、伝送路でバースト誤りが発生しても通信品質が劣化せず、品質の良い音声通話を実現することを目的とする。
【００１０】
【発明が解決するための手段】
この発明に係る移動無線通信端末は、音声信号を音声符号化部で符号化したのちに誤り訂正符号化部で誤り訂正符号化し、インターリーブ部でインターリーブを行い得られたデータにより搬送波を変調して送信部で送信する移動無線通信端末において、インターリーブ部は、当該通信端末の通信が半二重の単信通話で行われるか全二重の複信通話で行われるかによってインターリーブフレーム数を変更してインターリーブを行う構成にされた。
【００１１】
また、この発明に係る移動無線通信端末は、相手局との通信に、半二重通信を行う単信通話か全二重通信を行う複信通話かを設定する操作部を備え、
インターリーブ部は、操作部でユーザーが入力した単信通話か複信通話かを示す情報に基づいてインターリーブフレーム数を変更し、送信部は、単信通話か複信通話かを示す情報を接続要求のメッセージ情報に含んで送信する構成にされた。
【００１２】
また、この発明に係る移動無線通信端末は、音声信号を符号化後、誤り訂正符号化とインターリーブ処理が施された変調搬送波を受信部で受信して復調し、得られたデータをデインターリーブ部でデインターリーブして誤り訂正復号化部で誤り訂正復号化したのちに音声復号化部で音声復号化して音声信号を再生する移動無線通信端末において、受信変調搬送波には通信が半二重の単信通話で行われるか全二重の複信通話で行われるかを示す情報を含み、デインターリーブ部はこの半二重の単信通話か全二重の複信通話かの情報に従ってデインターリーブフレーム数を変更してデインターリーブを行う構成にされた。
【００１３】
また、この発明に係る移動無線通信端末は、デインターリーブ部が、受信信号中の着信要求のメッセージ情報に含まれる単信通話か複信通話かを示す情報に基づいてデインターリーブフレーム数を変更する構成にされた。
【００１４】
また、この発明に係る移動無線通信システムは、音声信号を音声符号化部で符号化したのちに誤り訂正符号化部で誤り訂正符号化し、インターリーブ部でインターリーブを行い得られたデータにより搬送波を変調して送信部で送信する送信側端末と
送信側端末から送信された変調搬送波を受信部で受信して復調し、得られたデータをデインターリーブ部でデインターリーブして誤り訂正復号化部で誤り訂正復号化したのちに音声復号化部で音声復号化して音声信号を再生する受信側端末とを備えた移動無線通信システムにおいて、
送信側端末のインターリーブ部は、通信が半二重の単信通話で行われるか全二重の複信通話で行われるかによってインターリーブフレーム数を変更してインターリーブを行い、
受信側端末のデインターリーブ部は通信が前記単信通話で行われるか複信通話で行われるかによってデインターリーブフレーム数を変更してデインターリーブを行う構成にされた。
【００１５】
また、この発明に係る移動無線通信システムは、送信側端末が相手局との通信に、半二重通信を行う単信通話か全二重通信を行う複信通話かを設定する操作部を備え、
インターリーブ部は、操作部でユーザーが入力した単信通話か複信通話かを示す情報に基づいてインターリーブフレーム数を変更し、送信部はこの単信通話か複信通話かを示す情報を接続要求のメッセージ情報に含んで送信し、
受信側端末のデインターリーブ部は、送信側から受信した着信要求のメッセージ情報に含まれる単信通話か複信通話かを示す情報に基づいてデインターリーブフレーム数を変更する構成にされた。
【００１６】
また、この発明に係る移動無線通信システムは、送信側端末と受信側端末が中継局を中継して通信する。
【００１７】
また、この発明に係る移動無線通信方法は、送信側で音声信号を符号化したのちに誤り訂正符号化とインターリーブを行い、得られたデータにより搬送波を変調して送信部から送信し、受信側でこの変調搬送波を受信して復調し、得られたデータをデインターリーブして誤り訂正復号化したのちに音声復号化して音声信号を再生する移動無線通信方法において、
送信側は、通信が半二重の単信通話で行われるか全二重の複信通話で行われるかによってインターリーブ部によりインターリーブフレーム数を変更してインターリーブを行い、受信側は通信が前記単信通話で行われるか複信通話で行われるかによってデインターリーブ部によりデインターリーブフレーム数を変更してデインターリーブを行う。
【００１８】
また、この発明に係る移動無線通信方法は、送信側のインターリーブ部は、操作部でユーザーが入力した単信通話か複信通話かを示す情報に基づいてインターリーブフレーム数を変更し、送信部から、この単信通話か複信通話かを示す情報を接続要求のメッセージ情報に含んで送信し、受信側のデインターリーブ部は、送信側から受信した着信要求のメッセージ情報に含まれる単信通話か複信通話かを示す情報に基づいてデインターリーブフレーム数を変更する。
【００１９】
また、この発明に係る移動無線通信方法は、送信側と受信側が中継局を中継して通信する。
【００２０】
【発明の実施の形態】
実施の形態１．
図１はこの発明に係わる移動無線通信方法による無線局の構成を示すブロック図である。図２、図３は図１の無線局の動作を説明する説明図である。。
図１において、１はアンテナ、２ａは送信部、２ｂは受信部、３ａはインターリーブ部、３ｂはデインターリーブ部、４ａは誤り訂正符号化部、４ｂは誤り訂正復号化部、６ａは音声符号化部、６ｂは音声復号化部、７は制御ＣＰＵ、８は操作部である。
以下、図１〜図３を用いてこの発明を説明する。
【００２１】
図１に示す無線局（以降当該局と呼称）は、相手局と半二重通信を行う単信通話か全二重通信を行う複信通話かを、通信を開始する前にがユーザーが操作部８にある例えばボタンを操作して設定できる。
【００２２】
先ずに単信通話の場合の動作を説明する。
ユーザーが操作部８で単信通話を設定すると、単信通話情報（例えば２ビット）が操作部８から制御ＣＰＵ７を経由して送信部２ａに伝達される。送信部２ａはこの情報によって搬送波を変調して相手局に送信し、単信通話の動作を開始する。このとき単信通話情報は制御ＣＰＵ７からインターリーブ部３ａとデインターリーブ部３ｂにも伝達される。
【００２３】
相手局は当該局と同様の構成を持っており、当該局が送信した単信通話情報を受信して受信部３ｂで復調し、制御ＣＰＵ７に伝達して単信通話の動作を開始する。制御ＣＰＵ７は単信通話情報をインターリーブ部３ａとデインターリーブ部３ｂに伝達する。
【００２４】
次に当該局のユーザーは、発話を開始する前に操作部８の例えばプレストークボタンを押す。プレストークボタンが押されると送信権獲得要求情報が操作部８から制御ＣＰＵ７を経由して送信部２ａに伝達され、相手局に送信され、相手局から受理されて送信権を獲得する。ユーザーはプレストークボタンを押した後に発話を開始し、ユーザーの入力音声信号が音声符号化部６ａに入力される。音声符号化部６ａは入力音声信号を固定長（例えば４０ｍｓ）のフレーム毎に例えばＣＥＬＰ方式による符号化を行い、符号化音声データを誤り訂正符号化部４ａに出力する。誤り訂正符号化部４ａは符号化音声データを例えば畳み込み符号によって誤り訂正符号化し、符号化データをインターリーブ部３ａに出力する。
【００２５】
インターリーブ部３ａは制御ＣＰＵ７から単信通話情報が伝達されているので、後で説明する複信通話の場合より大きいインターリーブフレーム数（従来例のインターリーブの深さＩに相当）を設定する。これは、プレストークボタン操作による単信通話では、互いにプレスした後に発話を開始するため伝送遅延が複信通話の場合より検知しにくく、インターリーブフレーム数を増やすことができるためである。本実施の形態では例えば単信通話の場合はインターリーブフレーム数を３とし複信通話の場合は２に設定する。インターリーブ部３ａは設定したインターリーブフレーム数３に従って、誤り訂正符号化部４ａから出力された符号化データをインターリーブする。
【００２６】
図２の（１）〜（３）はインターリーブフレーム数３の場合のインターリーブの動作を示している。音声符号化部６ａではフレーム毎の入力音声信号Ａ，Ｂ，Ｃ、Ｄ、Ｅ・・をフレーム毎に音声符号化し（図２（１））、誤り訂正符号化部４ａでは符号化音声データを誤り訂正符号化して各フレーム毎に３つに分割した符号化データＡ１，Ａ２，Ａ３，Ｂ１，Ｂ２，Ｂ３，…として出力される（図２（２））。インターリーブ部３ａではこの符号化データを互いに隣接する３つのフレームに分けて挿入する（図２（３））。
【００２７】
インターリーブ部３ａでインターリーブされた符号化データは送信部２ａから相手局に送信される。
【００２８】
相手局では、受信部２ｂで符号化データを復調し、デインターリーブ部３ｂに出力する。デインターリーブ部３ｂは制御ＣＰＵ７から単信通話情報が伝達されているので、インターリーブフレーム数を３に設定し、符号化データをデインターリーブする。デインターリーブされた符号化データは誤り訂正復号化部４ｂで誤り訂正復号化された後、音声復号化部６ｂで音声復号化され、再生音声信号が出力される。
【００２９】
図２の（４）、（５）はインターリーブフレーム数３の場合のデインターリーブの動作を示している。隣接する３フレームに分けて挿入された符号化データＡ１，Ａ２，Ａ３はデインターリーブされて一つのフレームにまとめられ（図２（４））、誤り訂正復号化、音声復号化を経て再生音声信号Ａが得られる（図２（５））。
【００３０】
次に複信通話の場合を説明する。
ユーザーが操作部８で複信通話を設定すると、複信通話情報（例えば２ビット）が操作部８から制御ＣＰＵ７を経由して送信部２ａに伝達される。送信部２ａはこの情報によって搬送波を変調して相手局に送信し、複信通話の動作を開始する。このとき複信通話情報は制御ＣＰＵ７からインターリーブ部３ａとデインターリーブ部３ｂにも伝達される。
【００３１】
相手局は前記のように当該局と同じ構成を持っており、当該局が送信した複信通話情報を受信して受信部３ｂで復調し、制御ＣＰＵ７に伝達して複信通話の動作を開始する。制御ＣＰＵ７は複信通話情報をインターリーブ部３ａとデインターリーブ部３ｂに伝達する。
【００３２】
次に当該局のユーザーは操作部８のプレストークボタンを押すことなく、いつでも発話を開始でき、ユーザーの発話による入力音声信号が音声符号化部６ａに入力される。音声符号化部６ａは入力音声信号を単信通話と同様に固定長（４０ｍｓ）のフレーム毎にＣＥＬＰ方式による符号化を行い、符号化音声データを誤り訂正符号化部４ａに出力する。誤り訂正符号化部４ａは符号化音声データを例えば畳み込み符号によって誤り訂正符号化し、符号化データをインターリーブ部３ａに出力する。インターリーブ部３ａは制御ＣＰＵ７から複信通話情報が伝達されているので、単信通話の場合より小さいインターリーブフレーム数である２を設定する。これは、複信通話では互いにいつでも発話を開始するため伝送遅延が単信通話の場合より検知し易く、インターリーブフレーム数を小さくする必要があるためである。インターリーブ部３ａは設定したインターリーブフレーム数２に従って、誤り訂正符号化部４ａから出力された符号化データをインターリーブする。
【００３３】
図３の（１）〜（３）はインターリーブフレーム数２の場合のインターリーブの動作を示している。音声符号化部６ａではフレーム毎の入力音声信号Ａ，Ｂ，Ｃ、Ｄ・・・をフレーム毎に音声符号化し、誤り訂正符号化部４ａでは符号化音声データを誤り訂正符号化して各フレーム毎に２つに分割した符号化データＡ１，Ａ２，Ｂ１，Ｂ２，…として出力される（図３（２））。インターリーブ部３ａではこの符号化データを互いに隣接する２つのフレームに分けて挿入する（図３（３））。
【００３４】
インターリーブ部３ａでインターリーブされた符号化データは送信部２ａから相手局に送信される。
【００３５】
相手局では、受信部２ｂで符号化データを復調し、デインターリーブ部３ｂに出力する。デインターリーブ部３ｂは制御ＣＰＵ７から複信通話情報が伝達されているので、インターリーブフレーム数を２に設定し、符号化データをデインターリーブする。デインターリーブされた符号化データは誤り訂正復号化部４ｂで誤り訂正復号化された後、音声復号化部６ｂで音声復号化され、再生音声信号が出力される。
【００３６】
図３の（４）、（５）はインターリーブフレーム数２の場合のデインターリーブの動作を示している。隣接する２フレームに分けて挿入された符号化データＡ１，Ａ２はデインターリーブされて一つのフレームにまとめられ（図３（４））、誤り訂正復号化、音声復号化を経て再生音声信号Ａが得られる（図３（５））。
【００３７】
次に、図１に示した無線局が適用される無線通信システムの例として図４に示すシステムを説明する。このシステムは社団法人電波産業会のデジタル方式ＭＣＡシステム標準規格（ＲＣＲ  ＳＴＤ−３２Ａ）に準拠している。
【００３８】
図４に示す無線通信システムはユーザ無線局と中継局から構成され、中継局１２の作るゾーン９内でユーザ無線局Ａ１０（当該局）とユーザ無線局Ｂ１１（相手局）の間で通信を行う図である。図では各ユーザ無線局からの上り送信周波数をＦ１、中継局１２からの下り送信周波数をｆ１としている。
【００３９】
次に図５〜図１０を使って図４の無線通信システムの通信方式の動作を説明する。本無線通信システムは無線回線をＴＤＭ／ＴＤＭＡ方式で使用し、図５に示すように、無線キャリアを９０ｍｓのフレームに区切り、その中を１５ｍｓの６つのスロットに分割する。スロットには、ユーザアクセスチャネル（ＣＡＣ）とユーザ個別チャネル（ＵＳＣ）のスロットが図５のように配置される。
【００４０】
本無線通信システムでは、待ち受け時はＣＡＣスロットを受信している。ユーザ無線局同士が１対１で通話を行う個別通話の発呼はＣＡＣスロットを用いて、図６、７、９に示すようなシーケンスで行われる。
図６は単信通話時のシーケンスを示すもので、ユーザ無線局Ａ１０は、ユーザ無線局Ｂ１１との単信通話を要求する情報を含めた接続要求を送信し、接続要求を受信した中継局１２はユーザ無線局Ａ１０に接続応答を送信し、ユーザ無線局Ｂ１１には、ユーザ無線局Ａ１０からユーザ無線局Ｂ１１への単信通話の要求があったことを通知するための着信要求を送信する。着信要求を受信したユーザ無線局Ｂ１１は着信応答を送信する。着信応答を受信した中継局１２は、ユーザ無線局Ａ１０とユーザ無線局Ｂ１１が単信通話に使用するＵＳＣスロットを指定したチャネル指定を送信する。以上のシーケンスをＣＡＣスロットを使用して行った後、チャネル指定を受信したユーザ無線局Ａ１０とユーザ無線局Ｂ１１はチャネル指定で指定されたＵＳＣスロットで通話を行う。
【００４１】
図７は送信権の制御を示している。下りＵＳＣスロットでは、音声に付随した制御データが毎スロット送信されており、現在の送信権保持ユーザが示されている。個別アクセス許可は特定のユーザが送信権を持っている状態であり、送信権を持っているユーザのみ上りデータを送信することができる。
送信権を持っているユーザ無線局Ａ１０がプレストークをオフすると、上りＵＳＣ制御データで送信権解放要求を送信する。
中継局１２が受け付けると、どのユーザ無線局も送信権を持っていないことを示すため、下り制御データでユーザアクセス許可であることをユーザ無線局に一定時間毎に通知する。
【００４２】
ユーザアクセス許可はどのユーザでも上り送信できる状態であり、この状態でユーザ無線局Ｂ１１がプレストークを押すと、送信権獲得要求をＵＳＣの上り制御データで送信する。
中継局１２が受け付けると下り制御データでユーザ無線局Ｂ１１が送信権を持っていることを示すために、ユーザ無線局Ｂ１１の個別アクセス許可とする。
ユーザ無線局Ｂ１１は送信権がとれたことを確認し、上り音声を送信する。
通話終了時は、送信権を持っているユーザが上り制御データで切断要求を送信し、中継局１２が受け付けると、下り制御データで切断指示を送信する。切断指示を受信したユーザ無線局は、ＣＡＣへ戻る。
送信権を持っていないユーザ無線局が切断要求を上げる場合は、送信権獲得後に切断要求を上げる。
【００４３】
図８は単信通話を行うスロットとして、ＵＳＣ２のスロットが指定された場合のユーザ無線局Ａ１０が送信している例を示している（ユーザ無線局Ｂ１１が送信する場合は図中のＡ、Ｂの表記が入れ替わる）。ユーザ無線局Ａ１０が上りＵＳＣ２のスロットで送信した音声は中継局１２で受信し、下りＵＳＣ２のスロットで送信する。ユーザ無線局Ｂ１１は下りＵＳＣ２のスロットを受信することで、ユーザ無線局Ａ１０が送信した音声を受信することができる。ユーザ無線局Ａ１０もＵＳＣ２のスロットで自無線局が送信した音声を受信するが、一般的には単信通話時はスピーカを開かない。
【００４４】
図９は複信通話時のシーケンスを示すもので、ユーザ無線局Ａ１０は、ユーザ無線局Ｂ１１との複信通話を要求する情報を含めた接続要求を中継局１２に送信し、接続要求を受信した中継局１２はユーザ無線局Ａ１０に接続応答を送信する。また、ユーザ無線局Ｂ１１には、ユーザ無線局Ａ１０からユーザ無線局Ｂ１１への複信通話の要求があったことを通知するための着信要求を送信する。着信要求を受信したユーザ無線局Ｂ１１は着信応答を送信する。着信応答を受信した中継局１２は、ユーザ無線局Ａ１０が複信通話に使用するＵＳＣスロットを指定したチャネル指定とユーザ無線局Ｂ１１が複信通話に使用するＵＳＣスロットを指定したチャネル指定を送信する。以上のシーケンスをＣＡＣスロットを使用して行った後、チャネル指定を受信したユーザ無線局Ａ１０とユーザ無線局Ｂ１１はチャネル指定で指定されたそれぞれのＵＳＣスロットで通話を行う。
【００４５】
図１０は複信通話を行うスロットとして、ユーザ無線局Ａ１０がＵＳＣ２のスロット、ユーザ無線局Ｂ１１がＵＳＣ４のスロットを指定された場合の例を示している。ユーザ無線局Ａ１０が上りＵＳＣ２のスロットで送信した音声は中継局１２が受信し、下りＵＳＣ４のスロットで送信する。ユーザ無線局Ｂ１１は下りＵＳＣ４のスロットを受信することで、ユーザ無線局Ａ１０が送信した音声を受信することができる。同様に、ユーザ無線局Ｂ１１が上りＵＳＣ４のスロットで送信した音声は中継局１２が受信し、下りＵＳＣ２のスロットで送信する。ユーザ無線局Ａ１０は下りＵＳＣ２のスロットを受信することで、ユーザ無線局Ｂ１１が送信した音声を受信することができる。
【００４６】
なお、図６、図９における接続要求と着信要求にはメッセージ情報が付加されており、各メッセージ中の「通信形態」を示すビットの下２桁が「００」のとき単信通話、「１１」のとき複信通話を示す。
ユーザー無線局Ａ１０の送信部２ａはこの接続要求のメッセージ情報の「通信形態」を示すビットを用いて単信通信か複信通信かを送信する。また、ユーザー無線局Ｂ１１の受信部２ｂは着信要求のメッセージ情報の「通信形態」を示すビットを制御ＣＰＵ７に出力し、制御ＣＰＵ７はこのビットから単信通話か複信通話かを判定して単信通話情報あるいは複信通話情報としてデインターリーブ部３ｂに出力する。
【００４７】
以上説明したように、単信通話の場合は複信通話のときよりインターリーブフレーム数を多くするようにしたので、ユーザーが伝送遅延を検知することなく伝送路で発生するバースト誤りを分散でき、結果として受信側の誤り訂正が容易になって受信側の再生音声品質が劣化せず、品質の良い音声通話を実現できる。
【００４８】
【発明の効果】
以上説明したように、この発明に係わる移動無線通信方法によれば、単信通話の場合は複信通話のときよりインターリーブフレーム数を多くするようにしたので、ユーザーが伝送遅延を検知することなく伝送路で発生するバースト誤りを分散でき、結果として受信側の誤り訂正が容易になって受信側の再生音声品質が劣化せず、品質の良い音声通話を実現できる。
【００４９】
【図面の簡単な説明】
【図１】この発明に係わる移動無線通信端末のブロック図である。
【図２】この発明の各処理部で処理後の信号の説明図である。
【図３】この発明の異なるインターリーブフレーム数での各処理部による処理後の信号の説明図である。
【図４】この発明の移動無線通信システムの構成図である。
【図５】この発明の無線キャリアの構成図である。
【図６】この発明の単信通話時のシーケンス説明図である。
【図７】この発明の送信権の制御を示すシーケンス説明図である。
【図８】この発明の単信通話を行う場合の無線キャリアの構成図である。
【図９】この発明の複信通話時のシーケンス説明図である。
【図１０】この発明の複信通話を行う場合の無線キャリアの構成図である。
【図１１】従来の移動無線通信端末のブロック図である。
【符号の説明】
１  アンテナ、２ａ  送信部、２ｂ  受信部、３ａ  インターリーブ部、３ｂデインターリーブ部、４  誤り訂正符号化・復号化部、４ａ  誤り訂正符号化部、４ｂ  誤り訂正復号化部、５  情報処理部、５ａ  受信状態検出部、５ｂ  インターリーブ制御部。
【図１】
0003591504.tif 000002
【図２】
0003591504.tif 000003
【図３】
0003591504.tif 000004
【図４】
0003591504.tif 000005
【図５】
0003591504.tif 000006
【図６】
0003591504.tif 000007
【図７】
0003591504.tif 000008
【図８】
0003591504.tif 000009
【図９】
0003591504.tif 000010
【図１０】
0003591504.tif 000011
【図１１】
0003591504.tif 000012